(57)【要約】【課題】複数の正極及び／又は負極積層体をセパレータに対してそれぞれ正確に位置決めすることを必要とすることなく、セパレータに包まれた正極及び／又は負極積層体を製造することができ、それによって積層型電池の生産性を向上させる。【解決手段】複数の切欠部を有する第１の帯状電極積層体原反を、帯状セパレータ原反で両面から挟み込む工程、対向している帯状セパレータ原反の少なくとも一部を互いに接着させる工程、第１の帯状電極積層体原反を切除する工程、対向している帯状セパレータ原反のうちの、第１の帯状電極積層体原反を切除した部分に対応する部分及び切欠部に対応する部分のうちの接着していない部分を互いに接着させる工程、帯状セパレータ原反を切断する工程、並びにセパレータで包み込まれている第１の電極積層体と、セパレータで包み込まれていない第２の電極積層体とを交互に積層する工程を含む、積層型電池の製造方法。【選択図】なし【特許請求の範囲】
【請求項１】
セパレータで包み込まれており、かつ第１の活物質層及び第１の集電体を有する、第１の電極積層体と、前記セパレータで包み込まれておらず、かつ第２の活物質層及び第２の集電体を有する、第２の電極積層体とが交互に積層されている、積層型電池の製造方法であって、
長手方向の一方の側に複数の切欠部を有する第１の帯状電極積層体原反を、帯状セパレータ原反で両面から挟み込む工程、
対向している前記帯状セパレータ原反のうちの、前記切欠部に対応する部分の少なくとも一部を互いに接着させることによって、前記帯状セパレータ原反を前記第１の電極積層体原反に対して固定する工程、
前記第１の帯状電極積層体原反を、前記切欠部から、前記切欠部を有しない長手方向の側に向かって切除して、前記第１の電極積層体とする工程、
対向している前記帯状セパレータ原反のうちの、前記第１の帯状電極積層体原反を切除した部分に対応する部分及び前記切欠部に対応する部分のうちの接着していない部分を互いに接着させる工程、
前記帯状セパレータ原反を、前記切欠部及び前記第１の帯状電極積層体原反を切除した部分に対応する領域において切断してセパレータとし、前記セパレータで包み込まれている第１の電極積層体を形成する工程、並びに
前記セパレータで包み込まれている前記第１の電極積層体と、前記セパレータで包み込まれていない前記第２の電極積層体とを交互に積層する工程
を含む、積層型電池の製造方法。
【発明の詳細な説明】
【技術分野】
【０００１】
本発明は、積層型電池の製造方法に関する。
【背景技術】
【０００２】
近年、高電圧及び高エネルギー密度を有する電池として、リチウムイオン二次電池が実用化されている。リチウムイオン二次電池の用途が広い分野に拡大していること及び高性能の要求から、リチウムイオン二次電池の更なる性能向上のために様々な研究が行われている。
【０００３】
リチウムイオン二次電池の形態としては、積層型リチウムイオンム二次電池、捲回型リチウムイオン二次電池等の態様が存在する。その中で、積層型リチウムイオン二次電池は、捲回型リチウムイオン二次電池と比較して、エネルギーの体積効率、安全性、品質、耐久性に優れている利点を有する。
【０００４】
ここで、積層型リチウムイオン二次電池の１つの態様では、セパレータで包み込まれており、かつ正極活物質層及び正極集電体を有する正極積層体と、セパレータで包み込まれておらず、かつ負極活物質層及び負極集電体を有する負極積層体とが交互に積層されている構成を有する。この態様では、短絡防止のため、セパレータで完全に包み込まれている正極積層体を用いることが一般的であり、このセパレータに包み込まれている正極積層体を効率的に製造する手段が提案されている。
【０００５】
特許文献１では、帯状のセパレータ上に複数の矩形状の正極積層体を整列して配置する工程と、セパレータを、正極積層体を挟み込むように正極積層体の底辺部で折り返す工程と、正極積層体の側辺部に沿ってセパレータに間欠的に溶着部を形成する工程と、溶着部に沿ってセパレータを切断し正極積層体入り袋状セパレータを形成する工程と、正極積層体入り袋状セパレータと矩形状の負極積層体を積層する工程とを含むことを特徴とする積層型二次電池の製造方法が開示されている。特許文献１では、これにより、生産性向上及び材料の使用量の低減がもたらされるとしている。
【０００６】
また、特許文献２では、複数個の正極又は負極積層体を上下のセパレータ帯ではさみ、所定の位置で切断することで袋入り正極又は負極積層体を形成する、リチウムイオン電池の製造方法が開示されている。特許文献２では、これにより、積層型電池の生産性向上がもたらされるとしている。
【先行技術文献】
【特許文献】
【０００７】
【特許文献１】特開２００９−２８９４１８号公報
【特許文献２】特開２００７−２４２５０７号公報
【発明の概要】
【発明が解決しようとする課題】
【０００８】
積層型リチウムイオン二次電池を製造するためには、事前に１枚ずつ切り離された複数の正極積層体と負極積層体とを１枚ずつ積層していく必要があり、積層の際には１枚ずつ正確に位置を決めなければならない。また、積層型リチウムイオン二次電池の製造に当たっては、リチウムの析出を防止するため、正極積層体の面積は、負極積層体の面積よりも小さくなければならない。更に正極積層体は、負極積層体より外側（積層に対して直角方向）にはみ出してはならない。
【０００９】
これらの条件を満足しつつ、正極積層体と負極積層体とを短時間で大量に積層させるための手段としては、負極積層体の面積と、セパレータに包まれた正極積層体の面積を等しくすることによって、積層時の位置精度を緩和し、そして高速に積層した後に整列させることが考えられる。
【００１０】
しかしながら、特許文献１及び２の方法を用いてセパレータに包まれた正極積層体の面積の調節を試みた場合、複数の正極及び／又は負極積層体のそれぞれを、セパレータに対して正確に位置決めすることが必要となるため、生産性の向上が不十分である。
【課題を解決するための手段】
【００１１】
本発明者らは、鋭意検討したところ、以下の手段により上記課題を解決できることを見出して、本発明を完成させた。すなわち、本発明は、下記のとおりである：
セパレータで包み込まれており、かつ第１の活物質層及び第１の集電体を有する、第１の電極積層体と、上記セパレータで包み込まれておらず、かつ第２の活物質層及び第２の集電体を有する、第２の電極積層体とが交互に積層されている、積層型電池の製造方法であって、
長手方向の一方の側に複数の切欠部を有する第１の帯状電極積層体原反を、帯状セパレータ原反で両面から挟み込む工程、
対向している上記帯状セパレータ原反のうちの、上記切欠部に対応する部分の少なくとも一部を互いに接着させることによって、上記帯状セパレータ原反を上記第１の電極積層体原反に対して固定する工程、
上記第１の帯状電極積層体原反を、上記切欠部から、上記切欠部を有しない長手方向の側に向かって切除して、上記第１の電極積層体とする工程、
対向している上記帯状セパレータ原反のうちの、上記第１の帯状電極積層体原反を切除した部分に対応する部分及び上記切欠部に対応する部分のうちの接着していない部分を互いに接着させる工程、
上記帯状セパレータ原反を、上記切欠部及び上記第１の帯状電極積層体原反を切除した部分に対応する領域において切断してセパレータとし、上記セパレータで包み込まれている第１の電極積層体を形成する工程、並びに
上記セパレータで包み込まれている上記第１の電極積層体と、上記セパレータで包み込まれていない上記第２の電極積層体とを交互に積層する工程
を含む、積層型電池の製造方法。
【発明の効果】
【００１２】
本発明によれば、複数の正極及び／又は負極積層体のそれぞれをセパレータに対して正確に位置決めすることを必要とすることなく、セパレータに包まれた正極及び／又は負極積層体を製造することができ、それによって積層型電池の生産性を向上させることができる。
【図面の簡単な説明】
【００１３】
【図１】図１は、第１の帯状電極積層体原反の上面図である。
【図２】図２は、帯状セパレータ原反の上面図である。
【図３】図３（ａ）は、挟み込み工程を経た段階における、帯状セパレータ原反及び第１の帯状電極積層体原反の上面透視図である。図３（ｂ）は、この段階における、帯状セパレータ原反及び第１の帯状電極積層体原反の、線ＩＩＩ−ＩＩＩにおける断面図である。
【図４】図４（ａ）は、第１の接着工程を経た段階における、帯状セパレータ原反及び第１の帯状電極積層体原反の上面透視図である。図４（ｂ）は、この段階における、帯状セパレータ原反及び第１の帯状電極積層体原反の、線ＩＶｂ−ＩＶｂにおける断面図である。図４（ｃ）は、この段階における、帯状セパレータ原反及び第１の帯状電極積層体原反の、線ＩＶｃ−ＩＶｃにおける断面図である。
【図５】図５（ａ）は、切除工程前の段階における、帯状セパレータ原反及び第１の帯状電極積層体原反の上面透視図である。図５（ｂ）は、切除工程後の段階における、帯状セパレータ原反及び第１の電極積層体の上面透視図である。
【図６】図６は、第２の接着工程を経た段階における、帯状セパレータ原反及び第１の電極積層体の上面透視図である。
【図７】図７（ａ）は、切断工程前の段階における、帯状セパレータ原反及び第１の電極積層体の上面透視図である。図７（ｂ）は、切断工程後の段階における、セパレータ及び第１の電極積層体の上面透視図である。
【図８】図８（ａ）は、セパレータで包み込まれている第１の電極積層体、及びセパレータで包み込まれていない第２の電極積層体の上面図である。図８（ｂ）は、積層工程の１つの態様の模式図である。
【発明を実施するための形態】
【００１４】
《積層型電池の製造方法》
本発明の積層型電池の製造方法は、セパレータで挟み込まれており、かつ第１の活物質層及び第１の集電体を有する第１の電極積層体と、セパレータで挟み込まれておらず、かつ第２の活物質層及び第２の集電体を有する第２の電極積層体とが交互に積層されている、積層型電池の製造方法である。
【００１５】
特に、本発明の積層型電池の製造方法は、挟み込み工程、接着工程、切除工程、封止工程、切断工程、及び積層工程を含む。
【００１６】
以下では、本発明の積層型電池の製造方法の各工程について、図面を参照しながら説明する。
【００１７】
〈挟み込み工程〉
挟み込み工程は、長手方向の一方の側に複数の切欠部を有する第１の帯状電極積層体原反を、帯状セパレータ原反で両面から挟み込む工程を意味する。
【００１８】
より具体的には、まず、図１に示すような第１の帯状電極積層体原反を用意する。この第１の帯状電極積層体原反（１０）は、第１の活物質層（１６）及び第１の集電体を有する。特に、本発明の積層型電池の製造方法においては、第１の帯状電極積層体原反（１０）は、長手方向の一方の側に複数の切欠部（１２）を有する。また、第１の帯状電極積層体原反（１０）は、随意のタブ部（１４）を有していてもよい。
【００１９】
また、図２に示すような、帯状セパレータ原反（２０）を用意する。
【００２０】
次いで、帯状セパレータ原反（２０）を、第１の帯状電極積層体原反（１０）上に配置する。そして、帯状セパレータ原反（２０）を折り曲げ予定線（２２）に沿って折り曲げることによって、図３（ａ）及び（ｂ）に示すように、第１の帯状電極積層体原反（１０）を両面から挟み込む。
【００２１】
なお、図示しないが、この挟み込み工程は、同一形状の２つのセパレータで、第１の電極積層体を挟み込むことによっても行うことができる。
【００２２】
〈接着工程〉
接着工程は、対向している帯状セパレータ原反のうちの、切欠部に対応する部分の少なくとも一部を互いに接着させる工程を意味する。これによって、帯状セパレータ原反を第１の帯状電極積層体原反に対して固定する。
【００２３】
より具体的には、図４（ａ）及び（ｂ）に示すように、接着工程は、対向している帯状セパレータ原反のうちの、第１の帯状電極積層体原反の切欠部に対応する部分の少なくとも一部を接着箇所（２０ａ）とし、この接着箇所（２０ａ）にて互いに接着させる工程を意味するものである。
【００２４】
この接着は、例えば熱溶着、帯状セパレータ原反への接着剤の塗布等によって行うことができる。
【００２５】
また、図４（ａ）及び（ｃ）に示すように、接着工程では、第１の帯状電極積層体原反のうちの接着箇所（２０ａ）に挟まれている領域を、帯状セパレータ原反で挟み込み、そしてこれらを互いに接着させてもよい。
【００２６】
〈切除工程〉
切除工程は、第１の帯状電極積層体原反を、切欠部から、切欠部を有しない側に向かって切除する工程を意味する。これによって、第１の帯状電極積層体原反は、第１の電極積層体となる。
【００２７】
より具体的には、図５（ａ）に示すように、第１の帯状電極積層体原反を、切欠部から、切欠部を有しない側に向かう領域を切除箇所（１８）とし、この切除箇所（１８）にて第１の帯状電極積層体原反を切除する。第１の帯状電極積層体原反の切除は、ＹＡＧレーザー、切断刃等によって行うことができる。これによって、第１の帯状電極積層体原反は、図５（ｂ）に示すように、第１の電極積層体（１０ａ）となる。
【００２８】
〈第２の接着工程〉
第２の接着工程は、対向している帯状セパレータ原反のうちの、第１の帯状電極積層体原反を切除した部分に対応する部分及び切欠部に対応する部分のうちの接着していない部分を互いに接着させる工程である。好ましくは、この工程を経て、第１の電極積層体を封止する。
【００２９】
より具体的には、封止工程は、図６に示すように、対向している帯状セパレータ原反のうちの、第１の帯状電極積層体原反を切除した部分に対応する部分（２０ｂ）、及び切欠部に対応する部分のうちの接着していない部分（２０ｃ）を少なくとも含む領域を接着箇所とし、この接着箇所（２０ｂ、２０ｃ）において互いに接着させる。
【００３０】
好ましくは、第２の接着工程において、対向している帯状セパレータ原反のうちの残りの部分（２０ｄ）も互いに接着させることにより、第１の電極積層体（１０ａ）を封止する。
【００３１】
〈切断工程〉
切断工程は、帯状セパレータ原反を、切欠部及び第１の帯状電極積層体原反を切除した部分に対応する領域において切断する工程である。これによって、セパレータで包み込まれている第１の電極積層体を形成する。
【００３２】
より具体的には、図７（ａ）に示すように、帯状セパレータ原反を、切欠部及び第１の帯状電極積層体原反を切除した部分に対応する領域において切断する。切断位置は、例えば切断線（３０）によって示した位置であることができる。
【００３３】
この工程を経て、図７（ｂ）で示すような、セパレータで包み込まれている第１の電極積層体（１０ｂ）を形成する。
【００３４】
〈積層工程〉
積層工程は、セパレータで包み込まれている第１の電極積層体と、セパレータで包み込まれていない第２の電極積層体とを交互に積層する工程である。
【００３５】
より具体的には、積層工程は、図８（ａ）に示すような、セパレータで包み込まれている第１の電極積層体（１０ｂ）と、セパレータで挟み込まれていない第２の電極積層体（４０）とを交互に積層することにより行うことができる。
【００３６】
ここで、図８（ａ）に示すように、第２の電極積層体は、第２の活物質層（４２）及び第２の集電体を有する。また、第２の電極積層体は、随意のタブ部（４４）を有していてもよい。
【００３７】
また、図８（ｂ）に示すように、積層の際には、必要に応じ、外径位置決め治具（５０）、アクチュエーター等を用いてもよい。
【００３８】
〈各工程に用いる物〉
以下では、上記の各工程に用いる物について説明する。
【００３９】
｛第１の帯状電極積層体原反｝
第１の帯状電極積層体原反は、第１の活物質層及び第１の集電体を有する。また、第１の帯状電極積層体原反は、随意のタブ部を有していてもよい。第１の帯状電極積層体原反は、上記の切除工程を経て、第１の電極積層体となる。
【００４０】
（第１の活物質層）
第１の活物質層は、例えば正極活物質を含有することができる。正極活物質としては、リチウム、ナトリウム、カルシウム等のイオンを、放電の際に吸蔵し、また任意に充電の際には放出させることができる物質であれば、特に限定されない。
【００４１】
（第１の集電体）
第１の集電体は、例えば正極集電体であることができる。正極集電体を構成する材料は、正極活物質からの集電を行うことができる材料であれば特に限定されない。
【００４２】
（タブ部）
タブ部は、第１の帯状電極積層体原反の側面に複数存在していてよい。また、同一形状の積層型電池を製造する場合、この複数のタブ部の間隔は、等間隔であり、かつ切欠部の間隔と等しいことが好ましい。
【００４３】
（切欠部）
切欠部は、第１の帯状電極積層体原反の長手方向の一方の側に複数形成されている。同一形状の積層型電池を製造する場合、この複数の切欠部の間隔は、等間隔であり、かつタブ部の間隔と等しいことが好ましい。
【００４４】
｛帯状セパレータ原反｝
帯状セパレータ原反は、基材のみ、又は基材及び基材上の固体電解質層で構成されていてよい。特に、液系の積層型電池の製造においては、帯状セパレータ原反は、基材のみで構成されていてよく、また固体電解質を用いる積層型電池の製造においては、帯状セパレータ原反は、基材及び基材上の固体電解質層で構成されていてよい。
【００４５】
帯状セパレータ原反は、上記の切断工程を経て、セパレータとなる。
【００４６】
基材は、例えばポリエチレン（ＰＥ）、ポリプロピレン（ＰＰ）、テフロン（登録商標）で構成されていてよい。特に基材は、セパレータ原反が基材のみから構成されている場合には、微多孔質状基材であってよく、かつセパレータ原反が基材及び基材上の固体電解質層で構成されている場合には、メッシュ状基材であってよい。
【００４７】
基材が微多孔質状基材である場合、基材の開孔率は、６０％以上、６５％以上、又は７０％以上であることができ、また９５％以下、９０％以下又は８５％以下であることができる。また、基材の細孔の大きさは例えば、１００ｎｍ〜３００ｎｍ×３０ｎｍ〜６０ｎｍであってよい。
【００４８】
基材がメッシュ状基材である場合、基材の開孔率は、６０％以上、６５％以上、又は７０％以上であることができ、また９５％以下、９０％以下又は８５％以下であることができる。また、孔間の桟幅は、１０μｍ以上、１５μｍ以上、又は２０μｍ以上であることができ、また５０μｍ以下、４０μｍ以下、又は３０μｍ以下であることができる。
【００４９】
基材の厚さは、１０μｍ以上、１２μｍ以上、又は１５μｍ以上であることができ、また５０μｍ以下、４０μｍ以下、又は３０μｍ以下であることができる。
【００５０】
固体電解質層を構成する材料は、リチウム、ナトリウム、カルシウム等のイオンに対する伝導性を有する材料でかつ絶縁材料であれば特に限定されない。
【００５１】
｛第２の電極積層体｝
第２の電極積層体は、第２の活物質層及び第２の集電体を有する。また、第２の電極積層体は、随意のタブ部を有していてもよい。
【００５２】
（第２の活物質層）
第２の活物質層は、例えば負極活物質を含有することができる。負極活物質としては、リチウム、ナトリウム、カルシウム等のイオンを、放電の際に放出させ、また任意に充電の際には吸蔵させることができる物質であれば、特に限定されない。
【００５３】
（第２の集電体）
第２の集電体は、例えば負極集電体であることができる。負極集電体を構成する材料は、負極活物質からの集電を行うことができる材料であれば特に限定されない。
【符号の説明】
【００５４】
１０    第１の帯状電極積層体原反
１０ａ    第１の電極積層体
１０ｂ    セパレータで包み込まれている第１の電極積層体
１２    切欠部
１４    第１の帯状電極積層体原反のタブ部
１６    第１の活物質層
１８    切除箇所
２０    帯状セパレータ原反
２０ａ、２０ｂ、２０ｃ、２０ｄ    接着箇所
２２    折り曲げ予定線
３０    切断線
４０    第２の電極積層体
４２    第２の活物質層
４４    第２の電極積層体のタブ部
５０    外径位置決め治具
【図１】
2017063004.tif 000002
【図２】
2017063004.tif 000003
【図３】
2017063004.tif 000004
【図４】
2017063004.tif 000005
【図５】
2017063004.tif 000006
【図６】
2017063004.tif 000007
【図７】
2017063004.tif 000008
【図８】
2017063004.tif 000009